(57)【要約】【課題】既存の天井埋込型の空調機にフロートスイッチとポンプユニットとアラームユニットを設け、フロートスイッチの作動と連動して警報音が鳴るようにアラームユニットを設ける。【解決手段】制御用のプリント基板（１２）とモータ（１３）を設けた外箱（１７）に、前記モータに連動して吸引パイプ（６）と排出パイプ（５）とを具えた自吸式ポンプ（１５）を取り付けて空調機と別体に設けたポンプユニット（１）と、前記ポンプユニットに付随するフロートスイッチ（１９）と前記吸引パイプ（６）の先端部分を取付基板（１８）に設けたフロートスイッチユニット（３）と、前記フロートスイッチユニットが発振する信号により警報音がなるアラームユニット（２）とで構成する。この吸引パイプ（６）の先端及びフロートスイッチ（１９）を前記空調機のドレーンパン内に配置させ、既設の排水管（９）に設けた連結部（９ａ）に前記自吸式ポンプの排出パイプ（５）を連結する。【選択図】  図２
2004360982.tif 000002
【特許請求の範囲】
【請求項１】
天井埋込型の空調機において、
制御用のプリント基板（１２）とモータ（１３）を内部に設けた外箱（１７）に吸引パイプ（６）と排出パイプ（５）とを有して前記モータに連動する自吸式ポンプ（１５）を取り付けて前記空調機と別体に設けたポンプユニット（１）と、
前記ポンプユニットに付随するフロートスイッチ（１９）と前記自吸式ポンプに連なる吸引パイプ（６）の先端部分を取付基板（１８）に設けてなるフロートスイッチユニット（３）と、
前記フロートスイッチユニットの作動と連動して発振する信号により警報音がなるアラームユニット（２）とからなり、
前記取付基板（１８）に装着した前記吸引パイプ（６）の先端及び前記フロートスイッチ（１９）を前記空調機の内部に設けてあるドレーンパン内に配置させ、該ドレーンパンに連結した排水管（９）の途中に設けた連結部（９ａ）と前記自吸式ポンプの排出パイプ（５）を連結してなることを特徴とする天井埋込型空調機の漏水防止装置。
【請求項２】
前記アラームユニット（２）は、警報スピーカ（２４）と警報ランプ（２７）とブザー操作用スイッチ片（２５）と外部出力部（２６）とを設けてなることを特徴とする請求項１記載の天井埋込型空調機の漏水防止装置。
【発明の詳細な説明】
【０００１】
【発明の属する技術分野】
本発明は、一般家庭、店舗、オフィス等の室内の設置した天井埋込型の空調機に係り、特に、空調機からのドレーン漏れを防止する漏水防止装置に関するものである。
【０００２】
【従来の技術】
従来、天井埋込型の空調機の排水方式には、空調機の熱交換器から排出されるドレーンを空調機内部に設置してあるドレーンパン内に溜め，該ドレーンパンに接続した排水管から自然落下により外部に排出している。しかし、経時的にドレーンパンに連結した排水管がドレーンで詰まって排出しなくなるのを防ぐため、ドレーン排出用のポンプを組み込んでドレーンを強制的に外部に排水している（例えば、特許文献１参照。）。
【０００３】
【特許文献】
特開平５−１５７２７０号公報（第２−３頁、図１）
【０００４】
上記した天井埋込型の空調機の排水方式について説明すると、図８に示すように、冷房運転時に熱交換器２２から流れ出る凝縮水や加湿運転により流れ出る加湿給水など空調機排水であるドレーンを、天井埋設型の空調機４の受け皿である空調機のハウジング２３の内部に組込んだドレーンパン２１によって受け止めている。そして、該ドレーンパン２１の内部に溜まったドレーンは、該ドレーンパンの一側面に連結してある排水管９側に自然と移動するように、例えば、該ドレーンパンの底面に傾斜を付して該排水管９から外部にドレーンを排出する方式がある。しかし、この方式は空調機を定期的に保守管理していないと、経時的に排水管９がドレーンにより詰ってしまい、ドレーンパンをオーバーフローして漏水事故を起こすことがある。
【０００５】
また図９に示すように、熱交換器２２から出たドレーンが空調機のハウジング２３の内部に組み込んだドレーンパン２１の内部に溜まって一定水位以上に達すると、該ドレーンパン内に設置した小型の排水ポンプ２９およびフロートスイッチ２８が作動して排水ポンプ２９に連結した排水管９ａから外部にドレーンを排出する方式がある。
【０００６】
特許文献１に示した発明は、ドレーンパンに一段低い釜場を設けてあり、その釜場内にドレーン排水用の小型ポンプと該ポンプを操作するフロ−トスイッチを設けてある。しかし、該ドレーンパンに一段低い釜場を有していないと深さが浅いため前記ポンプが十分に機能できない。そのため、既設の空調機に排水用の小型ポンプを設置して漏水機能を付加させる場合、従来のドレーンパンを、一段低い釜場を有した新たなドレーンパンと交換しなければならない。このドレ−ンパンの交換は、大掛りな作業となって作業時間が長くなると共に費用が高くなり、既設の空調機を費用の面及び作業時間の面から簡単に改善することが困難であるという問題点を有していた。
【０００７】
【発明が解決しようとする課題】
従来の空調機における排水方式では、ドレーンパン２１の内部に溜まったドレーンを外部に排出する排水管９の詰りや、該ドレーンパンの内部に組み込んだ排水ポンプ２９に接続してドレーンの水位により作動するフロートスイッチ２８などは、時間がたつと性能が劣化し汚損してしまう。このように経年劣化及び汚損などによりドレーン水位が上昇してフロートスイッチ２８がＯＮしても、その信号が正確に伝わらないなどの誤作動によって天井埋込型の空調機４のハウジング２３の内部に組み込んだドレーンパン２１に過剰にドレーンが溜まって溢れ出る漏水事故が発生することがある。
【０００８】
限られたスペースの室内に書類机やコンピュータや複写機等の各種機器を設置する場合、天井埋込型の空調機が各種ＯＡ機器の上方に位置することがある。このように、空調機の下方に書籍や書類や事務用品やＯＡ機器など各種機械設備が設置してあると、漏水事故は重大な損傷を与えてしまう。
【０００９】
天井面に取り付けまたは天井板２１内に埋込んだ空調機４からの漏水事故が発生しても、昼間なら室内で仕事をしている人が直ちに気が付くためその被害は少なくてすむ。しかし、夜間に漏水事故が生じた場合には、その発見が遅れて朝になってしまうと被害が大きくなってしまうという問題点があった。
【００１０】
さらにまた、従来のドレーンポンプを有する空調機には、何らかの原因でドレーンパン内に排水（ドレーン）が滞った場合、フロートスイッチがドレーンの液面の上昇を感知して（フロートスイッチが故障してない場合に限る）空調機の運転を停止すると共に、操作リモコン上でエラーサインを出すものがある。そのため、同機種の場合、例えば、パソコンのサーバや交換機など温度上昇を嫌って冷房運転の重要度が高い部屋に設置してあれば、空調の運転停止による温度上昇によって前記サーバや交換機が故障する事故が生じるという欠点がある。このような従来の空調機に本装置を取り付ければ、空調の運転停止を防いで室内の温度上昇を防ぐのに役立つものである。
【００１１】
本発明は、かかる問題点に鑑みてなされたもので、天井埋込型空調機の漏水事故の防止を目的とするもので、既存の空調機にフロートスイッチユニットとポンプユニットとアラームユニットを設け、フロートスイッチユニットの作動と連動して警報音が鳴るようにアラームユニットを設け、前もってアラーム警報をだすことにより漏水事故を防止し、空調装置の保守点検を確実に行えるようにするものである。
【００１２】
【課題を解決するための手段】
この課題を解決するために本発明は、天井埋込型の空調機において、制御用のプリント基板１２とモータ１３を内部に設けた外箱１７に吸引パイプ６と排出パイプ５とを有して前記モータに連動する自吸式ポンプ１５を取り付けて前記空調機と別体に設けてなるポンプユニット１と、前記ポンプユニットに付随するフロートスイッチ１９と前記自吸式ポンプに連なる吸引パイプ６の先端部分を取付基板１８に設けたフロートスイッチユニット３と、前記フロートスイッチユニットが発振する信号により警報音がなるアラームユニット２とからなり、前記取付基板１８に装着した前記吸引パイプ６の先端及び前記フロートスイッチ１９を前記空調機の内部に設けてあるドレーンパン内に配置させ、該ドレーンパンに連結した排水管９の途中の設けた連結部９ａに前記自吸式ポンプの排出パイプ５を連結してなることを特徴とする。このアラームユニット２は、警報スピーカ２４と警報ランプ２７とブザー操作用スイッチ片２５と外部出力部２６とを設けてなることを特徴とする。
【００１３】
本発明は、上記のように構成したから、天井埋込型空調機が排水ポンプを有しない場合は、簡単にドレーン漏れ防止機能を追加することができるし、また、フロートスイッチ及びドレーンを排出する小型ポンプを設けて強制的な排水機能を有する空調機の場合は、フロートスイッチ又は該小型ポンプが故障した際のバックアップ機能を有すると共に、それらと同時にアラームが作動して異常を音と光で知らせることにより漏水事故を防止する。これにより、空調機からの漏水事故を防止できる。また、アラームユニットに設けた外部出力線によってマラーム信号を集中監視システム等への転送を可能にしたものである。
【００１４】
【発明の実施の形態】
本発明の実施の形態を、図１〜３により説明すると、ドレーン排出用のポンプユニット１とアラームユニット２を連結配線７で接続し、化粧パネル３２を用いて天井埋込型の空調機４を天井板３１内に埋め込んで天井空間３６内に設置してある。ポンプユニット１は、空調機４とは別体に室内の天井面３５から支持金具３０で吊下げて天井空間３６内に設置してある。ポンプユニット１を稼動させる電源は、既設の空調機４に設けてある電装箱４０内の電源から取り出し、電源配線８によってポンプユニット１に接続してある。
【００１５】
ポンプユニット１の内部に設けた端子台１１を有する制御用のプリント基板１２に接続した直流モータ１３と、該ポンプユニットの外箱１７の外面に設けた小型の自吸式ポンプ１５とは軸継手１４を介して連結してある。１６は外箱１７の所望箇所に設けた孔に装着させるブッシュである。
【００１６】
図２において、ポンプユニット１は、先端を前記空調機４の内部に設置したドレーンパン２１の内部下方に位置した吸引パイプ６と、同じく先端をドレーンパン２１に接続した既存の排水管９の途中に設けた連結部９ａに接続させる排出パイプ５とを有している。前記ドレーンパン２１の内部には空調機のモータに連動した羽根車３３に隣接する熱交換器２２、２２を設けてあり、さらに、該ドレーンパン内に設置させたフロートスイッチ１９と前記自吸式ポンプ１５とをリード線１０で接続してある。図中、２３は空調機４のハウジングである。
【００１７】
図４、５において、１８はドレーンパン２１の上部一端に略水平に取り付ける取付基板で、該取付基板にフロートスイッチ１９を装着し、ドレーンパン内に溜まったドレーンの水位が一定の水位Ｌより上方に達すると、該スイッチ１９がＯＮし、また、該水位Ｌより下方に下がるとスイッチ１９がＯＦＦするようにしてある。このフロートスイッチ１９とポンプユニット１内の制御用のプリント基板１２とをリード線１０で接続し、ドレーンの上昇によりフロートスイッチがＯＮして作動すると、リード線１０と制御基板１２を介してモータ１３の回転が軸継手１４を介して自吸式ポンプ１５を作動させてドレーンを吸引する。また、フロートスイッチ１９の作動と連動するフロートスイッチユニット３が発振する信号により警報音がなり、光が点灯するアラームユニット２と接続してある。
【００１８】
吸込パイプ６の略先端部分は取付基板１８上に支持部片２０によって保持し、吸込パイプの先端を下方に折り曲げた先端部６ａは、ドレーンパン２１の内部に位置させて保持している。この先端部６ａは、図５に示すように、ドレーンの一定の水位Ｌより下方に位置させてある。
【００１９】
図７において、アラームユニット２の正面には、警報スピーカ２４とブザーをＯＮ・０ＦＦ操作するスイッチ片２５と警報ランプ２７とを設けてあり、さらに、該アラームユニット２と前記ポンプユニット１とを接続する連絡配線７、また該アラームユニット２と集中管理システム３８とを接続する外部出力線２６とを設けてある。このアラームユニット２は、ドレーン排出用のポンプユニット１およびフロートスイッチ１９に接続し、空調機を設置した部屋の壁面３７であって手の届きやすい位置に設けてある。
【００２０】
次に、本実施形態の作用について説明すると、本装置を組み込んだ空調機４を稼動させると、熱交換器２２から流出するドレーンは、ドレーンパン２１内に受け止められ、該ドレーンパンに連結した配水管９からドレーンを外部に排出している。然るに、長年使用していると配水管９の入口部分がスラッジなどで詰まるとドレーンパン２１内に溜まったドレーン水位が上昇し、一定の水位Ｌ（図５）より上方に達するとフロートスイッチ１９がＯＮし、リード線１０、端子台１１、制御用のプリント基板１２を介してモータ１３を回転させ、軸継手１４を介して自吸式ポンプ１５を作動させる。これと同時に、該フロートスイッチユニット３の発振する信号によりアラームユニット２が作動して警報音がなり光を発するものである。
【００２１】
自吸式ポンプ１５が作動して前記水位Ｌより下方に先端部６ａが位置した吸引パイプによって、ドレーンパン２１内のドレーンを吸い込み、ついで、自吸式ポンプ１５に連なる排出パイプ５から外部に排出させる。この排出パイプの先端は前記ドレーンパン１２に連結してある配水管９の途中に設けた連結部９ａで配水管９と連結し、該配水管９を介して外部にドレーンを排出するものである。
【００２２】
図８に示した空調機４に本装置を組み込んだ場合は、配水管９の目詰まりによる漏水事故を防止する機能を有している。また、図９に示した空調機に本装置を組み込んだ場合は、従来の漏水装置のバックアップ用として二重に安全性を高め、従来の排水ポンプ２９及びフロートスイッチ２８が作動する場合には本装置が作動するまでもない。また、経時的に排水ポンプ２９およびフロートスイッチ２８のいずれかが作動しない場合には、本装置のフロートスイッチ１９が作動するので、漏水事故に対して二重に全性を高めることができる。
【００２３】
空調機４が設定されている場所が有人の場合、フロートスイッチ１９が作動すると同時にドレーン排出用のポンプユニット１が作動してドレーンパン内を上昇するドレーンを外部に排出すると同時にアラームユニット２が作動して、空調機に組み込んである従来のフロートスイッチ２８および排水ポンプ２９の異常を速やかに知らせると共に、漏水事故を防止することが出来る。
さらに、空調機の設置場所が無人の場合でも、アラームユニット２からの信号は外部出力線２６を通って集中監視システム３８などへの転送を可能にし、無人の場所や無人となる夜間などの時間帯でも確実に監視することができる。
【００２４】
【発明の効果】
以上のように本発明によれば、既存の空調機に比較的簡単に外付け方式によって本装置を取り付けることにより、従来の天井埋込型の空調機が有していた漏水事故を防止すると共に、アラームユニットにより警報を出して異常を知らせることにより、安全な室内空調を提供する事が出来ると共に保守管理を確実に行うことができる利点がある。
【図面の簡単な説明】
【図１】本発明に係る実施の形態を示す説明図である。
【図２】天井に埋め込んだ既設の空調機にポンプユニットを組合わせた断面図である。
【図３】ドレーンポンプの内部構造を示す断面図である。
【図４】フロートスイッチの平面図である。
【図５】図３のＡ−Ａ線方向断面図である。
【図６】既設のドレーンパンにフロートスイッチを取り付けた要部の斜視図である。
【図７】アラームユニットの正面図である。
【図８】従来の天井埋設型空調機の自然勾配排水方式を示す要部の斜視図である。
【図９】従来の天井埋設型空調機のドレーン用の排水ポンプ式の排水方式を示す斜視図である。
【符号の説明】
１      ポンプユニット
２      アラームユニット
３      フロートスイッチユニット
４      天井埋込型の空調機
５      排出パイプ
６      吸引パイプ
６ａ    先端部
７      連絡配線
８      電源配線
９      排水管
９ａ    連結部
１０      リード線
１２      制御用のプリント基板
１３      モータ
１５      自吸式ポンプ
１７      外箱
１８      取付基板
１９      フロートスイッチ
２１      ドレーンパン
２４      警報スピーカ
２５      ブザー操作用スイッチ片
２６      外部出力線
２７      警報ランプ
【図１】
2004360982.tif 000003
【図２】
2004360982.tif 000004
【図３】
2004360982.tif 000005
【図４】
2004360982.tif 000006
【図５】
2004360982.tif 000007
【図６】
2004360982.tif 000008
【図７】
2004360982.tif 000009
【図８】
2004360982.tif 000010
【図９】
2004360982.tif 000011